(57)【要約】【課題】遊技者側から図柄表示機構の内部機構が見えないようにした回胴表示装置を提供する。【解決手段】本発明による回胴表示装置は、機構本体７１に回転可能に取付けられた駆動輪を駆動させることにより図柄表示体２を回転させる図柄表示機構１が複数並設されて成る回胴表示装置において、カバー１５０が機構本体７１の前側に着脱可能に取付けられ、隣合う図柄表示機構１，１の図柄表示体２，２間がカバー１５０で覆われたものとした。【選択図】        図２
2004188114.tif 000002
【特許請求の範囲】
【請求項１】
機構本体に回転可能に取付けられた駆動輪を駆動させることにより図柄表示体を回転させる図柄表示機構が複数並設されて成る回胴表示装置において、カバーが機構本体の前側に着脱可能に取付けられ、隣り合う図柄表示機構の図柄表示体間がカバーで覆われたことを特徴とする回胴表示装置。
【請求項２】
カバーには図柄表示体の幅方向端部の外側面又は内側面のうちの少なくとも一方を覆う延設部が設けられたことを特徴とする請求項１に記載の回胴表示装置。
【請求項３】
カバーには図柄表示体間または図柄表示体とこの図柄表示体を収納する躯体の側壁との間に形成される隙間を覆うためのベース部と、このベース部の図柄表示体と対向する面側から直角方向に形成され機構本体又は躯体の側壁を挟持する一対の挟持片とを備え、これら挟持片の少なくとも一方には機構本体または躯体の側壁に設けられた位置決め突起が嵌入するための取付孔を有することを特徴とする請求項１または請求項２に記載の回胴表示装置。
【請求項４】
回胴表示装置の図柄表示体間または図柄表示体とこの図柄表示体を収納する躯体の側壁との間に形成される隙間を覆うためのベース部と、このベース部の図柄表示体と対向する面側から直角方向に形成され機構本体又は躯体の側壁を挟持する一対の挟持片とを備え、これら挟持片の少なくとも一方には機構本体または躯体の側壁に設けられた位置決め突起が嵌入するための取付孔を有することを特徴とする回胴表示装置のカバー。
【発明の詳細な説明】
【０００１】
【発明の属する技術分野】
本発明はスロットマシンやパチンコ機などの遊技機に用いられる回胴表示装置及び回胴表示装置のカバーに関する。
【０００２】
【従来の技術】
駆動輪と従動輪とに無端帯状の図柄表示体を巻き掛け、駆動輪をステップモータで駆動して図柄表示体を回転させるベルトタイプの回胴表示装置が知られている（例えば、特許文献１参照）。また、駆動輪の外周に無端状の図柄表示体を貼り付け、駆動輪をステップモータで駆動して図柄表示体を回転させるドラムタイプの回胴表示装置が知られている（例えば、特許文献２参照）。
【０００３】
【特許文献１】
特開２００１−２９３１２８号公報
【特許文献２】
特開平１１−２９９９６１号公報
【０００４】
【発明が解決しようとする課題】
特許文献１，２の回胴表示装置では、複数並設された図柄表示機構において、隣り合う図柄表示機構の図柄表示体間を介して遊技者側から図柄表示機構の内部機構が見えてしまうという課題があった。
そこで、本発明は、遊技者側から図柄表示機構の内部機構が見えないようにした回胴表示装置を提供する。
【０００５】
【課題を解決するための手段】
本発明による回胴表示装置は、機構本体に回転可能に取付けられた駆動輪を駆動させることにより図柄表示体を回転させる図柄表示機構が複数並設されて成る回胴表示装置において、カバーが機構本体の前側に着脱可能に取付けられ、隣り合う図柄表示機構の図柄表示体間がカバーで覆われたものとしたので、遊技者側から図柄表示機構の内部機構が見えなくなり、美観が損なわれない回胴表示装置を得ることができる。
また、カバーには図柄表示体の幅方向端部の外側面又は内側面のうちの少なくとも一方を覆う延設部が設けられたものとすることで、駆動輪と従動輪との間で搬送ギャップが生じた場合の図柄表示体の前側又は後側への撓みを抑えることができる。このため、遊技者に図柄をすっきりと見せることができ、遊技者の目視遊技に影響を与えるようなことを防止できる。
また、カバーには図柄表示体間または図柄表示体とこの図柄表示体を収納する躯体の側壁との間に形成される隙間を覆うためのベース部と、このベース部の図柄表示体と対向する面側から直角方向に形成され機構本体又は躯体の側壁を挟持する一対の挟持片とを備え、これら挟持片の少なくとも一方には機構本体または躯体の側壁に設けられた位置決め突起が嵌入するための取付孔を有するものとすることで、カバーの着脱が容易な回胴表示装置を得ることができる。
また、本発明による回胴表示装置のカバーは、回胴表示装置の図柄表示体間または図柄表示体とこの図柄表示体を収納する躯体の側壁との間に形成される隙間を覆うためのベース部と、このベース部の図柄表示体と対向する面側から直角方向に形成され機構本体又は躯体の側壁を挟持する一対の挟持片とを備え、これら挟持片の少なくとも一方には機構本体または躯体の側壁に設けられた位置決め突起が嵌入するための取付孔を有するものとすることで、回胴表示装置に対して着脱が容易なカバーを得ることができる。
【０００６】
【発明の実施の形態】
実施形態１．
図１から図５は本発明の実施形態を示す図であって、図１は回胴表示装置９１を構成する１組の図柄表示機構１を分解して示した図、図２は回胴表示装置９１の外観図、図３はカバー１５０の斜視図、図４はカバー１５０の取付状態を示す断面図、図５はカバー１５０Ａの取付状態を示す断面図である。
【０００７】
図１を参照し、図柄表示機構１について説明する。図柄表示機構１の図柄表示体２は、例えばウレタン系エラストマー（ウレタン系ゴム弾性体）または熱可塑性エラストマー（例えば、東レ・デュポン株式会社製の商品名ハイトレル（登録商標））またはポリカーボネート等の材料を主成分とした乳白色の透光性を有する帯状の両端を互いに接続したような形状の無端状に形成されたものである。図柄表示体２は、ウレタン系エラストマーまたは熱可塑性エラストマーまたはポリカーボネート等の材料を主成分とした帯状の両端を両面粘着材または溶剤系接着剤などの接着剤で互いに接続してもよいが、成形型で無端状に形成すれば、図柄表示体２の無端状の形状保持性能が高くなる。
【０００８】
図柄表示体２は、複数の種類の異なる図柄４を周方向に一定間隔または所定間隔に配置した状態で備える。図柄４がイソシアネート硬化による二液反応形の速乾性インキを用いた印刷でされれば、図柄表示体２との親和性もよく、図柄４の耐久性も向上する。図柄表示体２が透光性を有するので、図柄表示体２の内側面２ａの方向から図柄表示体２の２本の仮想線Ｌ１，Ｌ２で挟まれた図柄表示領域に投光して図柄４を照明表示することができる。
【０００９】
図柄表示体２の内側面２ａにおける図柄表示領域よりも外側に位置する両端部（周方向と直交する帯幅方向の両端の部分）には動力伝達部５を備える。動力伝達部５は凹部６と凸部７とが図柄表示体２の周方向に一定間隔で交互に連続したタイミングベルト状の形態である。凸部７は図柄表示体２の内側面２ａから図柄表示体２の径方向内側に突出し、凹部６は周方向に隣接する２つの凸部７の互いに向き合う斜面と当該２つの凸部７の間における図柄表示体２の内側面２ａとで形成される。動力伝達部５は、図柄表示体２と一緒に成形型で図柄表示体２の内側面２ａに形成すれば、図柄表示体２と動力伝達部５とが１つにまとまった単一体となり、それの一体性が増す。図柄表示体２の仮想線Ｌ１，Ｌ２で挟まれた図柄表示領域に図柄４を設け、図柄表示体２の図柄表示領域よりも外側に位置する両端部に動力伝達部５を設けたので、図柄４と動力伝達部５とが重なり合わないように領域分けされて配置されて、図柄４を表示する部分の厚さを一様とすることができ、図柄４の見栄えがよくなる。
【００１０】
駆動輪１１は、薄肉な円筒状の周壁の中央部を周方向に間欠的に中抜きされているとともに軸方向（帯幅方向）に両側に存在する円形帯状の端部１２，１２を中抜きによる残存した複数本のステー１３で互いに結合したかご形になっている。端部１２の外周面側には動力伝達部１４を有する。動力伝達部１４の凹部１５は端部１２の外周面から内部に窪み、凹部１５の軸方向外側は開放されている。動力伝達部１４の凸部１６は周方向に隣接する２つの凹部１５の互いに向き合う斜面と当該２つの凹部１５の間における端部１２の外周面とで形成される。複数のステー１３にはハブ１７が各端部１２，１２の間の中央よりも一方に片寄る位置で支持部材３により結合されている。ハブ１７の中心部には小判形の異形孔に形成されたモータ出力軸取付部１８を備える。
駆動輪１１の軸方向両端側、即ち、各端部１２，１２の外周面に、図柄表示体側係合部としての凹部６と係合する駆動輪側係合部としての複数の凸部１６を凹部１５を介して周方向に均等な間隔を隔てて設け、この互いに隣り合う凸部１６，１６間の間隔を互いに隣り合う凹部６，６間の間隔より広くした。即ち、複数の駆動輪側係合部としての各凸部１６を、均等な間隔を隔てて設けられた複数の図柄表示体側係合部としての各凹部６に対して間欠的に係合するように設けたので、駆動輪１１と図柄表示体２の凹凸係合数を少なくでき凹凸部間の係合摩擦を小さくできるので、モータの回転負荷を軽減でき、駆動輪１１を駆動するモータとして出力の小さいモータを使用できるようになる。
【００１１】
従動輪２１は、薄肉な円筒状の周壁の中央部を周方向に間欠的に中抜きされているとともに軸方向（帯幅方向）に両側に存在する円形帯状の端部２２，２２を中抜きによる残存した複数本のステー２３で互いに結合したかご形になっている。ただし、従動輪２１は、各端部２２，２２の外周面に図柄表示体側係合部としての凹部６及び凸部７に係合する凸部及び凹部を備えない構成とした。即ち、各端部２２の軸方向内側には大輪部２４を有し、この大輪部２４の軸方向外側には、この大輪部２４より若干小径で上記図柄表示体２の幅方向両側の内側面２ａに形成された図柄表示体側係合部が対応する小輪部２５を有し、従動輪２１の回転中心を中心とする真円形帯状の小輪部２５の外周面は平坦な円周面に形成されている。よって、駆動輪１１の駆動力により図柄表示体２が回転すると、図柄表示体２の内側面２ａと従動輪２１の大輪部２４の外周面との接触あるいは図柄表示体２の内側面２ａの凸部７と小輪部２５の外周面との接触により従動輪２１も回転するが、このとき、凹凸係合による係合摩擦が生じないので、モータの回転負荷を軽減でき、駆動輪１１を駆動するモータとして出力の小さいモータを使用できるようになる。尚、支持軸８２が装着される従動輪２１の軸受部２７はステー２３に連結された支持部材３Ｂで支持されている。
【００１２】
ステップモータ３１はモータ軸３２，３３がモータボディ３４の軸方向両端に突出した両軸タイプになっている。一方のモータ軸（モータ出力軸）３２は外周面が２つの平坦で平行な切欠面３２ａを有する異形であって、駆動輪１１のハブ１７から離れた端部１２の方向からモータ出力軸取付部１８に挿入されて一緒に回転するようにハブ１７に装着され、駆動輪１１が一方のモータ軸３２に一緒に回転するように結合される。
【００１３】
このように駆動輪１１と一方のモータ軸３２とが結合された場合、モータボディ３４の大半が駆動輪１１の内部に非接触な状態で取り込まれる。モータボディ３４の端部に設けられたブラケット３７の側に突出した他方のモータ軸３３がモータ取付ピース４１に形成された逃孔４２に挿入され、ブラケット３７が逃孔４２周りのモータ取付ピース４１の外側面に接触し、ブラケット３７とモータ取付ピース４１とが図外の止ねじで互いに締結されることによって、モータボディ３４とモータ取付ピース４１とが互いに結合される。
【００１４】
他方のモータ軸３３は外周面に１つの平坦な切欠面を有する異形であって、他方のモータ軸３３は小径な歯車５１の中心に形成された半円形状の異形な取付孔５２に挿入されて、他方のモータ軸３３には小径な歯車５１が一緒に回転するように装着される。モータ取付ピース４１の逃孔４２周りに固定的に取り付けられたシャフト４３には小径な歯車５１に噛み合わせられる大径な歯車６１が回転可能に装着され、大径な歯車６１よりも外側に突出したシャフト４３には図外の止輪が装着されて、大径な歯車６１がシャフト４３から抜け止めされる。
【００１５】
大径な歯車６１にはステップモータ３１の原点位置を検出するための被検出体６２が図外の止ねじで一緒に回転するように取り付けられる。シャフト４３よりも下部に形成された切欠部４４周りのモータ取付ピース４１にはステップモータ３１の原点位置を検出するための検出器６３の設けられた基板６４が図外の止ねじで取り付けられることによって、検出器６３が切欠部４４に非接触に配置される。検出器６３は他方のモータ軸３３の回転に伴い、小径な歯車５１と大径な歯車６１とを介して被検出体６２が検出器６３を非接触に通過するごとに、検出器６３がステップモータ３１の原点位置としての検出信号を図外の制御装置に出力する。
【００１６】
駆動輪１１、ステップモータ３１、小径な歯車５１、大径な歯車６１、シャフト４３、基板６４、検出器６３、被検出体６２が組み合わされたモータ取付ピース４１が縦長な土台としての板状の機構本体７１の上部に図外の止ねじで取り付けられることによって、モータ取付ピース４１が機構本体７１の上部に形成された開口部７２を閉鎖する。モータ取付ピース４１には検出器６３から延設された配線を通すための配線孔７３が開口部７２の周囲に位置するように形成される。
【００１７】
従動輪２１の軸受部２７は従動輪取付ピース８１に固定的に設けられた支持軸８２に挿入され、軸受部２７から突出した支持軸８２の端部には図外の止輪が装着され、従動輪２１が支持軸８２から抜け止めされる。
従動輪取付ピース８１はシャフト８３と複数のスライダ８４とばね係留部８５とを備える。シャフト８３が機構本体７１の下部に従動輪２１の方向に膨出するように形成された従動輪取付部７４に形成された軸受部７５に回転可能に装着されるとともに、スライダ８４およびばね係留部８５が従動輪取付部７４に形成された複数の逃孔７６に個別に挿入された後、スライダ８４に止具８６が従動輪取付ピース８１の従動輪取付部７４に対する上下方向の移動を確保するように結合されることによって、従動輪２１を回転可能に支持した従動輪取付ピース８１と従動輪取付部７４とが互いに組み付けられる。
【００１８】
その状態において、従動輪取付ピース８１のばね係留部８５と従動輪取付部７４に設けられたばね係留部７７とにコイルスプリングのようなばね７８が掛け止められることによって、ばね７８が従動輪取付ピース８１を機構本体７１の上部に取付られた駆動輪１１との軸間隔を広げる方向に引っ張る。そして、図柄表示体２が駆動輪１１と従動輪２１とに巻き掛けられることによって、図柄表示機構１が組み立てられた形態となる。
【００１９】
そして、ステップモータ３１が電力供給で回転駆動すると、図柄表示体２がばね７８のばね力によるテンションを受けつつ図柄表示体２の動力伝達部５と駆動輪１１の動力伝達部１４との噛み合わせにより適切に回転する。図１，図２に示すように、機構本体７１は機構本体７１の下部から内側に折り曲げられた底壁７１ａ、底壁７１ａの前部から下方に折り曲げられた下機構取付部７１ｂ、機構本体７１の上部前側から内側に折り曲げられた延設部７１ｃ、延設部７１ｃの前部から上方に折り曲げられた上前機構取付部７１ｄ、機構本体７１の上部後側から内側に折り曲げられた上後機構取付部７１ｅ、機構本体７１の後部から内側に折り曲げられた補強部７１ｆを備える。底壁７１ａおよび補強部７１ｆが互いに結合されれば、機構本体７１の強度が一層高くなる。下機構取付部７１ｂには位置決め孔７１ｇおよび取付孔７１ｈを備え、上前機構取付部７１ｄには取付孔７１ｉを備える。
【００２０】
図２を参照し、図柄表示機構１を３個用いて構成された回胴表示装置９１について説明する。回胴表示装置９１は図柄表示機構１を収納し得る大きさの前方左右開放状の躯体９２を備える。躯体９２は上壁９３の後部に左右で相対峙する２本の切込９４を介して内側に向けて突出するように押し出された係合部９５、上壁９３の前部から上方に折り曲げられた上フランジ９６、底壁７１ａの前部から下方に折り曲げられた下フランジ９７を備える。
【００２１】
そして、図柄表示機構１が躯体９２の内部に挿入され、図柄表示機構１の下機構取付部７１ｂおよび上前機構取付部７１ｄが躯体９２の上フランジ９６および下フランジ９７の前側に配置され、下フランジ９７に設けられた突起９８と下機構取付部７１ｂの位置決め孔７１ｇとが互いに嵌め込まれ、機構本体７１の上後機構取付部７１ｅが躯体９２の上壁９３の内側面から一方の切込９４、係合部９５の上、他方の切込９４を順に経由して上壁９３の内側面に接触するように係合部９５に嵌め込まれる一方、下機構取付部７１ｂおよび上前機構取付部７１ｄを図外の止ねじで上フランジ９６および下フランジ９７に締結することによって、３個の図柄表示機構１が躯体９２に並設されて取り付けられる。また、機構本体７１と対象形に形成された側壁９９が機構本体７１と同様に躯体９２に取り付けられる。
そして、各機構本体７１や側壁９９にカバー１５０やカバー１５０Ａを取付ける。
以上により、機構本体７１と躯体９２および側壁９９で囲まれた前方開放状の空間に３個の図柄表示機構１の図柄表示体２が並設配置された回胴表示装置９１となる。
【００２２】
カバー１５０は、図１〜４に示すように、隣り合う図柄表示体２，２間及び隣り合う各図柄表示体２，２の幅方向端部（図柄表示領域外）の外側面２ｂ，２ｂを覆う幅Ｗを有し上下に延長するカバー本体１５１と、カバー本体１５１のベース部１５４の裏側に、このカバー本体１５１と直角方向でかつカバー本体１５１の長さ方向に延長するように設けられた相対峙する２つの挟持片１５２，１５３とから構成される。カバー本体１５１は、隣り合う図柄表示体２，２間を覆う覆いベース部１５４と、隣り合う各図柄表示体２の幅方向端部の外側面２ｂ，２ｂを覆う延設部１５５，１５５とを備える。２つの挟持片１５２，１５３のうちの１方の挟持片１５２には上下に取付孔１５６，１５６が形成されており、図４に示すように、この取付孔１５６，１５６を機構本体７１に形成された位置決め突起１５７に嵌め込むことによりカバー１５０は所定位置に位置決めされた状態で挟持片１５２，１５３により機構本体７１の前側に着脱可能に取付けられる。
【００２３】
並設された３個の図柄表示機構１のうちの図２の右側の図柄表示機構１の機構本体７１の前側、側壁９９の前側にはカバー１５０Ａが取付けられる。カバー１５０ａは、図２，図５に示すように、機構本体７１と図柄表示体２との間あるいは側壁９９と図柄表示体２との間を覆う覆いベース部１５４Ａ及び当該図柄表示体２の幅方向一端部（図柄表示領域外）の外側面２ｂを覆う延設部１５５Ａを備えたカバー本体１５１Ａを有するものである。
【００２４】
尚、カバー１５０及びカバー１５０Ａの取付部としては、一方の挟持片に係止フックを形成し、この係止フックを機構本体７１（又は側壁９９）に形成された位置決め係止孔に嵌め込むようにして取付ける取付部であってもよいし、ねじで取付けるようにしてもよい。
また、カバー１５０及びカバー１５０Ａは、例えば非透明な合成樹脂材料により形成すればよい。
【００２５】
よって、カバー１５０，１５０Ａにより、遊技者側から図柄表示機構１の内部機構が見えなくなり、美観が損なわれない。
また、カバー１５０，１５０Ａの延設部１５５，１５５Ａで図柄表示体２の幅方向端部の外側面２ｂを覆うようにしているので、例えば、駆動輪１１と従動輪２１との間で搬送ギャップが生じた場合の図柄表示体２の前側（遊技者側）への撓みを抑えることができる。このため、遊技者に図柄４をすっきりと見せることができ、遊技者の目視遊技に影響を与えるようなことを防止できる。
【００２６】
実施形態２．
図柄表示体２の内側面２ａ側にバックライト機構１００を設けた場合について説明する。
回胴表示装置９１の前方には図柄表示体２の図柄４を視認可能とする図外のガラス等の透視性パネルが配置される。バックライト機構１００は、図６に示すように、駆動輪１１と従動輪２１とに巻き掛けられた図柄表示体２の内側面２ａ側でかつ駆動輪１１と従動輪２１との間に設けられ、図柄表示体２の内側面２ａ側から図柄４に光を投射するものである。これにより、遊技者は光で照らされた図柄４を透視性パネルを介して視認できる。バックライト機構１００は、図７，８に示すように、投射筒枠形成体１０１と、バックライト搭載基板１０２と、機構本体７１への取付部１０３と、後述するガイド部材１２０が取付けられるガイド部材取付部１０４とを備える。投射筒枠形成体１０１には、図柄表示体２が停止したときに透視性パネルを介して視認することができるゲームに関係する上下３つの図柄４，…毎に対応する３つの投射筒枠１１０，１１１，１１２が形成されており、上下３つの図柄４，…毎にそれぞれ投射筒枠１１０，１１１，１１２を介して光を投射できるようになっている。投射筒枠形成体１０１の後側には、ランプ，ＬＥＤ等のバックライト１０５を搭載したバックライト搭載基板１０２が取付けられ、これにより、バックライト１０５の光が投射筒枠１１０，１１１，１１２を介して図柄表示体２に投射される。投射筒枠形成体１０１の前面の両端側には上下に延長する細長いガイド部材取付部１０４，１０４が形成されている。このガイド部材取付部１０４，１０４は前面１０６，１０６の上下中央部分が前側に飛び出て湾曲した弧状に形成されている。この弧状の前面１０６，１０６に図外のねじなどで細長い直線帯状のガイド部材１２０，１２０が取付けられ、このガイド部材１２０，１２０が図柄表示体２の幅方向両端の内側面に形成された図柄表示体側係合部の凸部７に接触して図柄表示体２を内側面２ａから回胴表示装置９１の前側に湾曲させる。ガイド部材１２０はガイド部材取付部１０４の前面１０６に沿って取付けられるように可撓性と靭性とを有するものを用いる。尚、ガイド部材取付部１０４，１０４の前面１０６，１０６には上下に複数の取付穴１２１が形成されており、この取付穴１２１に対応してガイド部材１２０にはねじ頭挿入穴１２２が形成されている。これにより、ねじの頭がねじ頭挿入穴１２２に入り込んでガイド部材１２０の表面１２３に突出しないように締結されてガイド部材１２０が回胴表示装置９１の前側に取付けられる。
尚、ガイド部材１２０は、図柄表示体２に対して滑性を有する材料で形成されたものを用いる。例えば、摩擦係数が低く摺動特性に優れた自己潤滑性及び耐摩耗性及び耐衝撃性を有する超高分子量ポリエチレン（ＵＰＥ）、ポリアセタール等に代表されるデルリン（東レ・デュポン株式会社の登録商標）、四ふっ化エチレン等に代表されるテフロン（東レ・デュポン株式会社の登録商標）等の樹脂材料で形成されたものを用いれば効果的である。
また、図柄表示体２を駆動輪１１と従動輪２１とに巻き掛ける前に、ガイド部材１２０が取付けられたバックライト機構１００を取付部１０３を介してねじ等で機構本体７１に取付ける。１３１は機構本体７１に形成された取付穴、１３２はバックライト機構１００の取付部１０３に形成された取付穴であり、これら取付穴１３１，１３２を介してねじ等によりバックライト機構１００を取付ける。即ち、ガイド部材１２０が取付けられたバックライト機構１００が、図柄表示機構１の機構本体７１に対してそれぞれ着脱可能となっている。
以上によれば、カバー１５０及びカバー１５０Ａを取付けることにより、バックライト機構１００を機構本体７１に取付けるねじ等が遊技者側から見えなくなるので、より効果的である。
また、ガイド部材１２０が図柄表示体２の図柄４の裏側部分に接触せず、図柄４の裏側部分の擦傷や摩耗が生じないので、図柄４の見栄えが悪くならない。
また、図柄表示体２に対して滑性を有するガイド部材１２０でガイドしたので、図柄表示体２とガイド部材１２０との摩擦を低減でき、図柄表示体２の回転負荷を低減できるので、駆動輪１１を駆動するモータとして出力の小さいモータを使用することが可能となる。また、図柄表示体２の幅方向両端の内側に凹部６及び凸部７による図柄表示体側係合部を形成し、図柄表示体側係合部としての凸部７のみがガイド部材１２０に接触するようにしたので、図柄表示体２とガイド部材１２０との摩擦をさらに低減でき、さらに図柄表示体２の回転負荷を低減できる。また、ガイド部材１２０が接触する図柄表示体側係合部の凸部７の摩耗を少なくでき、図柄表示体側係合部と駆動輪側係合部との係合性能を長く維持できるので、図柄表示体２の寿命を長くできる。
また、ガイド部材１２０により図柄表示体２を内側面２ａから前側に湾曲させることができて、図柄４を見やすくできる。
また、図柄表示体２の内側面２ａの幅方向両端をガイド部材１２０でガイドしたので、図柄表示体２が駆動輪１１と従動輪２１との間で前後に振れたり、撓んだりすることを防止でき、図柄４を安定に表示させることが可能となる。
また、ガイド部材１２０が摩耗すれば、ガイド部材１２０のみを交換でき、バックライト機構１００をそのまま流用できるので、バックライト機構１００をリサイクルできる。
【００２７】
尚、実施形態１，２では、図柄表示体２の幅方向端部（図柄表示領域外）の外側面２ｂ，２ｂを覆う延設部１５５，１５５Ａを備えたカバー１５０，１５０Ａを用いる例を示したが、図柄表示体２の幅方向端部（図柄表示領域外）の内側面２ａを覆う延設部，即ち、図柄表示体側係合部と対向する延設部を備えたカバーを用いてもよく、この場合、カバーを図柄表示体２に対して滑性を有する材料で構成してガイド部材１２０の機能を兼用させてもよい。また、図柄表示体２の幅方向端部の外側面２ｂ及び内側面２ａの両方を覆う延設部を備えたカバーを用いてもよい。この場合、内側面２ａの両方を覆う延設部でガイド部材１２０の機能を兼用させればよい。このようなカバーを用いれば、図柄表示体２が駆動輪１１と従動輪２１との間で前後に振れたり、撓んだりすることを防止でき、図柄４を安定に表示させることが可能となる。これらの場合、カバーを機構本体７１にねじ等で直接に固定したり、バックライト機構１００を設ける場合においてはガイド部材１２０を備えないバックライト機構１００にカバーをねじ等で固定してバックライト機構１００を介してカバーを機構本体７１に固定すればよい。
また、実施形態では、ベルトタイプの回胴表示装置について説明したが、特許文献２のようなドラムタイプの回胴表示装置においても本願のカバーを適用できる。この場合、機構本体（特許文献２では支持部材）の前側を駆動輪の外周に貼られた図柄表示体（特許文献２ではリール部材）のリング形状に合わせたり、あるいは、隣り合う駆動輪の外周に貼られた図柄表示体間を覆うカバーを用いればよい。
尚、カバー１５０，１５０Ａは、機構本体７１の前側に取付けられ、少なくとも機構本体７１や側壁９９と図柄表示体２との間を覆うものであればよい。
【図面の簡単な説明】
【図１】本発明の実施形態１による回胴表示装置の図柄表示機構を示す分解斜視図。
【図２】回胴表示装置の外観図。
【図３】カバーの拡大斜視図。
【図４】カバーの取付状態を示す断面図。
【図５】カバーの取付状態を示す断面図。
【図６】実施形態２によるガイド部材付きのバックライト機構を備えた回胴表示装置の外観図。
【図７】ガイド部材付きのバックライト機構を示す斜視図。
【図８】ガイド部材とバックライト機構とを分解して示した斜視図。
【符号の説明】
１  図柄表示機構、２  図柄表示体、２ａ  図柄表示体の内側面、２ｂ  図柄表示体の幅方向端部側の外側面、１１  駆動輪、２１  従動輪、３１  ステップモータ（モータ）、７１  機構本体、９２  躯体、９９  側壁、
１５０，１５０Ａ  カバー、１５２，１５３  挟持片、１５４  ベース部、
１５５，１５５Ａ  延設部、１５６  取付孔、１５７  位置決め突起。
【図１】
2004188114.tif 000003
【図２】
2004188114.tif 000004
【図３】
2004188114.tif 000005
【図４】
2004188114.tif 000006
【図５】
2004188114.tif 000007
【図６】
2004188114.tif 000008
【図７】
2004188114.tif 000009
【図８】
2004188114.tif 000010